(57)【要約】【課題】電話回線を用いた通信が可能な電子機器において、１つの加入者権情報を使用し、複数の電子機器の間で電話回線を排他的に使用することが可能な電子機器を提供すること。【解決手段】特定の通信回線を使用して基地局と通信可能な第１通信部と、予め設定された他の機器が動作していることを検出する機器検出部と、機器検出部が、他の機器が動作しているかどうかを検出した結果に基づいて、第１通信部が通信回線を使用するかどうかを切り換える切換制御部と、を備える。【選択図】図４
2015179882.tif 000002
【特許請求の範囲】
【請求項１】
特定の通信回線を使用して基地局と通信可能な第１通信部と、
予め設定された他の機器が動作していることを検出する機器検出部と、
前記機器検出部が、前記他の機器が動作しているかどうかを検出した結果に基づいて、前記第１通信部が前記通信回線を使用するかどうかを切り換える切換制御部と、
を備える電子機器。
【請求項２】
前記他の機器と通信が可能な第２通信部を備え、
前記切換制御部は、前記第２通信部により前記他の機器と通信した結果に基づいて、前記第１通信部が前記通信回線を使用するかどうかを切り換える、
請求項１記載の電子機器。
【請求項３】
前記第２通信部は、前記切換制御部によって前記第１通信部が前記通信回線を使用しないように切り替えた後で、前記他の機器に対して通信回線の接続許可を発行する、
請求項２記載の電子機器。
【請求項４】
前記切換制御部が、前記第１通信部が前記通信回線を使用しないように切り換えた場合、前記第２通信部を使用して前記他の機器と通信を行い、前記他の機器を経由して外部と通信を行う通信制御部を備える、
請求項２記載の電子機器。
【請求項５】
前記切換制御部が、前記第１通信部が前記通信回線を使用するように切り換えた場合、前記第２通信部を使用して前記他の機器と通信を行い、前記他の機器と外部との通信を中継するように制御する通信制御部を備える、
請求項２記載の電子機器。
【請求項６】
前記第１通信部は、前記他の機器と前記特定の通信回線を共用可能である、
請求項１乃至５のいずれかに記載の電子機器。
【請求項７】
前記通信回線を使用して基地局と通信可能な第３通信部と、
請求項３記載の電子機器と通信が可能な第４通信部と、
を備え、
前記第４通信部が請求項３記載の電子機器から前記接続許可を受信するのに応じて、前記第３通信部が前記通信回線との接続を開始する、電子機器。
【発明の詳細な説明】
【技術分野】
【０００１】
ここに開示された技術は、電話回線を用いた通信が可能な電子機器に関する。
【背景技術】
【０００２】
特許文献１は、同一加入権情報（ＩＤ）が書き込まれた複数のＳｕｂｓｃｒｉｂｅｒ  Ｉｄｅｎｔｉｔｙ  Ｍｏｄｕｌｅ  Ｃａｒｄ（ＳＩＭカード）を第１の携帯電話および第２の携帯電話に装着し、それぞれの電源投入と切断をサーバーが認識することで、第１の携帯電話および第２の携帯電話のいずれか一方を制御可能にする携帯電話機代替方法を開示している。この文献ではメインのＳＩＭカードが装着された携帯電話の電話帳などの必要なデータはサーバーに記憶されており、メインのＳＩＭカードが装着された携帯電話を電源が投入された状態で自宅等に置き忘れた場合、所持しているサブのＳＩＭカードを友人などが所持するＳＩＭカード装着可能な携帯電話に装着し電源を投入することで、借り受けたサブのＳＩＭカードを装着した携帯電話がサーバーからメインのＳＩＭカードが装着された携帯電話の電話帳など必要なデータをダウンロードすることで通信手段の確保を達成している。
【０００３】
特許文献２は、複数の移動局に同一電話番号を割り当て、それぞれの移動局の位置情報をサーバーに記憶させる。または、それぞれの識別情報を記憶させることで、同一電話番号による複数の移動局の通信を可能としている。
【先行技術文献】
【特許文献】
【０００４】
【特許文献１】特開２００６−２４５７７０号公報
【特許文献２】特開平１１−２３４７４８号公報
【発明の概要】
【発明が解決しようとする課題】
【０００５】
しかしながら、特許文献１の通信システムではサーバーに第１の携帯電話の電話番号等の情報（加入権者情報）を記憶する必要があり、サーバーのメモリ負荷が非常に重くなるだけでなく、個人情報をサーバーに送るというセキュリティ上の危険性を常に考えなくてはならない。さらに、第２の携帯電話に個人情報をダウンロードするため、サブのＳＩＭカードを抜き取った時に自動的に該情報を消去するとしても、使用者に不安を与えることになり、個人情報が通信網を介する回数が増えることになりセキュリティ上の危険性がある。また、第１の携帯電話の電話番号等の情報をサーバーにアップロードする際の通信量、およびサーバーに蓄積された該情報を第２の携帯電話にダウンロードする際の通信量を電話事業者もしくは利用者が負担する必要がある。また、本通信システムを利用する人口が多くなった場合には、その電話番号等の情報のアップロードとダウンロードに係る通信量も多くなる事が容易に予測され、通信システムへの負荷も深刻な問題となる。
【０００６】
特許文献２における携帯電話システムにおいては、各基地局のＩＤを識別する必要があり、複数の基地局と交換局の間で移動局の検索や特定が必要となり、通信システムの負荷が非常に高くなってしまう。通信トラフィックがビジーな地域や災害時など回線が混雑することは明白である。
【０００７】
本開示の目的は、電話回線を用いた通信が可能な電子機器において、１つの加入者権情報を使用し、複数の電子機器の間で電話回線を排他的に使用することが可能な電子機器を提供することにある。
【課題を解決するための手段】
【０００８】
本開示の目的は、次の構成によって達成される。電子機器は、特定の通信回線を使用して基地局と通信可能な第１通信部と、予め設定された他の機器が動作していることを検出する機器検出部と、機器検出部が、他の機器が動作しているかどうかを検出した結果に基づいて、第１通信部が通信回線を使用するかどうかを切り換える切換制御部と、を備える。
【発明の効果】
【０００９】
本開示によれば、電話回線を用いた通信が可能な電子機器において、１つの加入者権情報を使用し、複数の電子機器の間で電話回線を排他的に使用することが可能な電子機器を提供可能である。
【図面の簡単な説明】
【００１０】
【図１】カメラシステムの斜視図
【図２】カメラシステムの回路ブロック図
【図３】移動局の回路ブロック図
【図４】本考案の通信システムの概要図
【発明を実施するための形態】
【００１１】
本開示の撮像装置は、加入権情報が書き込まれたＳＩＭカードを搭載しており、電話回線（例えば３ＧやＬＴＥ（Ｌｏｎｇ  Ｔｅｒｍ  Ｅｖｏｌｕｔｉｏｎ））を制御可能な回線制御部と、無線通信（例えば無線ＬＡＮやＮＦＣ（Ｎｅａｒ  Ｆｉｅｌｄ  Ｃｏｍｍｕｎｉｃａｔｉｏｎ））部と、を有する。
【００１２】
一方、移動局は、前記撮像装置に搭載したＳＩＭカードと同一の加入権情報が書き込まれたＳＩＭカードを搭載しており、電話回線（例えば３ＧやＬＴＥ）を制御可能な回線制御部と、無線通信（例えば無線ＬＡＮやＮＦＣ）部と、を備える。
【００１３】
本開示によれば、一つの回線で撮像装置および移動局によるサーバーとの通信を適宜切り替えることが可能となり、ユーザーは複数の加入権を取得する必要がなく、契約料や維持使用課金の負担を少なくすることが出来る。また、撮像装置と移動局間が無線通信によって常に双方向通信が可能であるため、移動局からのＧＰＳ位置情報などを撮像装置の撮像画像に添付したり、該画像を移動局に保存したりすることが可能となる。
【００１４】
以下、本開示の通信装置を備えた撮像装置の実施形態について説明する。
【００１５】
なお、以下の実施形態は本開示の一実施形態であり、本開示はこれらの実施形態に限定されない。
【００１６】
＜第１実施形態＞
（１：カメラシステム）
図１，２を用いて、通信部を備えたカメラシステム１について説明する。なお、通信部を備えた撮像装置は、本実施形態のカメラシステム以外の撮像装置にも搭載可能である。
【００１７】
図１は、第１実施形態に係るカメラシステム（撮像装置および電子機器の一例）の斜視図である。
【００１８】
図２はカメラシステム１の回路ブロック図である。
【００１９】
カメラ本体１００は、交換レンズ式のデジタルカメラである。カメラ本体１００のボディマウント１５０にレンズユニット２００が装着可能である。
【００２０】
カメラ本体１００は、主に、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサー１１０と、ＣＭＯＳ回路基板１１３と、カメラモニタ１２０と、操作部１３０と、カメラコントローラー１４０と、ボディマウント１５０と、電源１６０と、カードスロット１７０と、ＳＩＭカードフォルダー１８０と、無線通信部１８５と、電話回線通信部１８６と、フォーカルプレーンシャッター１９０と、ＥＶＦ（Ｅｌｅｃｔｒｉｃ  Ｖｉｅｗ  Ｆｉｎｄｅｒ）１９５と、を備えている。
【００２１】
ＣＭＯＳイメージセンサー１１０（撮像素子の一例）は、レンズユニット２００を介して入射される被写体の光学像（以下、被写体像ともいう）を画像データに変換する。生成された画像データは、ＣＭＯＳ回路基板１１３のＡＤコンバーター１１１でデジタル化される。ＡＤコンバーター１１１でデジタル化された画像データは、カメラコントローラー１４０で様々な画像処理が施される。ここで言う様々な画像処理とは、例えば、ガンマ補正処理、ホワイトバランス補正処理、キズ補正処理、ＹＣ変換処理、電子ズーム処理、ＪＰＥＧ圧縮処理等である。
【００２２】
ＣＭＯＳイメージセンサー１１０は、タイミング発生器１１２で生成されるタイミング信号に基づいて動作する。ＣＭＯＳイメージセンサー１１０は、ＣＭＯＳ回路基板１１３の制御により、静止画データおよび動画データの取得を行うことができる。取得された動画データは、スルー画像の表示にも用いられる。なお、静止画データおよび動画データは、画像データの一例である。
【００２３】
ここで、スルー画像とは、動画データのうちメモリーカード１７１に記録されない画像である。スルー画像は、主に動画像であり、動画像または静止画像の構図を決めるためにカメラモニタ１２０またはＥＶＦ１９５に表示される。
【００２４】
ＣＭＯＳイメージセンサー１１０は、スルー画像として用いられる低解像度の動画像の取得と、記録用として用いられる高解像度の動画像の取得とが可能である。高解像度の動画像としては、例えば、ＨＤサイズ（ハイビジョンサイズ：１９２０×１０８０画素）の動画像が考えられる。なお、ＣＭＯＳイメージセンサー１１０は被写体の光学像を電気的な画像信号に変換する撮像素子の一例である。撮像素子は、ＣＭＯＳイメージセンサー１１０の他に、ＣＣＤイメージセンサー等の光電変換素子を含む概念である。
【００２５】
ＣＭＯＳ回路基板１１３は、ＣＭＯＳイメージセンサー１１０を制御する回路基板である。ＣＭＯＳ回路基板１１３は、ＣＭＯＳイメージセンサー１１０から出力される画像データに所定の処理を施す回路基板であり、タイミング発生器１１２およびＡＤコンバーター１１１を含む。ＣＭＯＳ回路基板１１３は、撮像素子を駆動制御し、撮像素子から出力される画像データにＡＤ変換等の所定の処理を施す撮像素子回路基板の一例である。
【００２６】
カメラモニタ１２０は、例えば液晶ディスプレイであり、表示用画像データが示す画像等を表示する。表示用画像データは、カメラコントローラー１４０で生成される。表示用画像データは、例えば、画像処理された画像データ、カメラシステム１の撮影条件、操作メニュー等を画像として表示するためのデータである。カメラモニタ１２０は、動画像も静止画像も選択的に表示可能である。
【００２７】
カメラモニタ１２０は、カメラ本体１００に設けられている。本実施形態では、カメラ本体１００の背面に配置されているが、カメラモニタ１２０はカメラ本体１００のどこに配置されていてもよい。
【００２８】
なお、カメラモニタ１２０はカメラ本体１００に設けられた表示部の一例である。表示部としては、他にも、有機ＥＬ、無機ＥＬ、プラズマディスプレイパネル等、画像を表示できるものを用いることができる。また、表示部は、カメラ本体１００の背面でなく、側面や上面等、他の場所に設けてもよい。
【００２９】
操作部１３０は、ユーザーによる操作を受け付ける。具体的には操作部１３０は、ユーザーによるフォーカルプレーンシャッター操作を受け付けるレリーズ釦１３１と、カメラ本体１００の上面に設けられた回転式のダイアルスイッチである電源スイッチ１３２と、を含む。電源スイッチ１３２は、ＯＮ／ＯＦＦのいずれかを選択可能である。操作部１３０は、ユーザーによる操作を受け付けることができればよく、ボタン、レバー、ダイアル、タッチパネル等を含む。
【００３０】
カメラコントローラー１４０は、カメラ本体１００の各部を制御する。カメラコントローラー１４０は、操作部１３０からの指示を受け付ける。カメラコントローラー１４０は、レンズユニット２００を制御するための信号を、ボディマウント１５０及びレンズマウント２５０を介して、レンズコントローラー２４０に送信し、レンズユニット２００の各部を間接的に制御する。すなわち、カメラコントローラー１４０は、カメラシステム１全体を制御する。
【００３１】
カメラコントローラー１４０は、ＣＭＯＳ回路基板１１３を制御する。具体的には、カメラコントローラー１４０はＣＭＯＳ回路基板１１３に制御信号を送信し、ＣＭＯＳ回路基板１１３は受信した制御信号に基づきＣＭＯＳイメージセンサー１１０を制御する。つまり、カメラコントローラー１４０は、ＣＭＯＳイメージセンサー１１０を制御する。また、カメラコントローラー１４０は、ＣＭＯＳイメージセンサー１１０により生成され、ＣＭＯＳ回路基板１１３によりＡＤ変換等の所定の処理を施された画像データを取得し、さらに処理を施す。例えば、ＣＭＯＳ回路基板１１３により処理された画像データから、表示用画像データや記録用動画データなどを生成する。
【００３２】
カードスロット１７０は、メモリーカード１７１を装着可能である。カードスロット１７０は、カメラコントローラー１４０から送信される制御信号に基づいて、メモリーカード１７１を制御する。具体的には、カードスロット１７０は、メモリーカード１７１に画像データを格納する。カードスロット１７０は、メモリーカード１７１から画像データを出力する。また、メモリーカード１７１に動画データを格納する。カードスロット１７０は、メモリーカード１７１から動画データを出力する。
【００３３】
メモリーカード１７１は、カメラコントローラー１４０が画像処理により生成した画像データを格納可能である。例えば、メモリーカード１７１は、非圧縮のＲＡＷ画像ファイルや圧縮されたＪＰＥＧ画像ファイル等を格納できる。また、メモリーカード１７１は、あらかじめ内部に格納された画像データ又は画像ファイルを、カードスロット１７０を介して出力できる。メモリーカード１７１から出力された画像データ又は画像ファイルは、カメラコントローラー１４０で画像処理される。例えば、カメラコントローラー１４０は、メモリーカード１７１から取得した画像データ又は画像ファイルに伸張処理を施し、表示用画像データを生成する。
【００３４】
メモリーカード１７１は、さらに、カメラコントローラー１４０が画像処理により生成した動画データを格納可能である。例えば、メモリーカード１７１は、動画圧縮規格であるＨ．２６４／ＭＰＥＧ４  ＡＶＣに従って圧縮された動画ファイルを格納できる。また、メモリーカード１７１は、あらかじめ内部に格納された動画データ又は動画ファイルを、カードスロット１７０を介して出力できる。メモリーカード１７１から出力された動画データまたは動画ファイルは、カメラコントローラー１４０で画像処理される。例えば、カメラコントローラー１４０は、メモリーカード１７１から取得した動画データまたは動画ファイルに伸張処理を施し、表示用動画データを生成する。
【００３５】
なお、メモリーカード１７１は記憶部の一例である。記憶部は、メモリーカード１７１のようにカメラ本体１００に装着可能なものでもよく、カメラシステム１に固定されているものでもよい。
【００３６】
ＳＩＭカードフォルダー１８０は、ＳＩＭカード１８１を挿入固定される。ＳＩＭカード１８１には電話回線への接続を許可する加入者権情報が書き込まれている。
【００３７】
無線通信部１８５は、アンテナ部を有する無線通信部であってＩＥＥＥ８０２．１１ｎ規格などの無線通信機能を有している。カメラ本体１００の操作部１３０の電源スイッチ１３２が操作されると、カメラコントローラー１４０は、無線通信部１８５にあらかじめ設定した後述の移動局３００との接続指示を出す。移動局３００と無線による接続が完了すると、カメラコントローラー１４０は移動局３００のＳＩＭカードフォルダー３２０に挿入固定されているＳＩＭカード３２１に書き込まれている加入権情報と、ＳＩＭカード１８１の加入者権情報が合致するかを確認する。
【００３８】
電話回線通信部１８６は、アンテナ部を有する３Ｇ電話回線通信部であって、ＳＩＭカード１８１に書き込まれた加入者権情報によって電話回線への接続が可能である。カメラコントローラー１４０が移動局３００からの電話回線との接続の許可信号を受信すると、初めて電話回線通信部１８６に基地局探索指示を出す。移動局３００からの電話回線との接続の許可信号が発生されるまで電話回線との接続は行わない。
【００３９】
フォーカルプレーンシャッター１９０は、ＣＭＯＳイメージセンサー１１０の前側に配置されている。フォーカルプレーンシャッター１９０は、光学系ＬからＣＭＯＳイメージセンサー１１０に向かう光を遮蔽する状態と、光学系ＬからＣＭＯＳイメージセンサー１１０に向かう光を透過する状態とを有する。フォーカルプレーンシャッター１９０は、ＣＭＯＳイメージセンサー１１０の露光時間を制御する。
【００４０】
ＥＶＦ１９５は、例えば液晶ディスプレイであり、接眼レンズ等によって拡大表示することでファインダーとして機能する。表示内容はカメラモニタ１２０と同じく、表示用画像データが示す画像等を表示する。さらに、カメラモニタ１２０と適宜選択的に切り替えて使用することが可能に構成している。
【００４１】
ＥＶＦ１９５は、カメラ本体１００に設けられた表示部の一例である。表示部としては、他にも、有機ＥＬ、無機ＥＬ、プラズマディスプレイパネル等、画像を表示できるものを用いることができる。
【００４２】
電源１６０は、カメラシステム１で使用するための電力を各部に供給する。電源１６０は、例えば、乾電池であってもよいし、充電池であってもよい。また、電源１６０は、電源コード等を介して外部の電源から電力の供給を受け、カメラシステム１に電力を供給するユニットであってもよい。
【００４３】
ボディマウント１５０は、レンズマウント２５０と係合する。ボディマウント１５０は、レンズユニット２００を支持する。また、ボディマウント１５０とレンズマウント２５０とは、電気的に接続可能である。カメラ本体１００は、ボディマウント１５０とレンズマウント２５０とを介して、レンズユニット２００との間で、データおよび制御信号のうち少なくとも一方を送受信できる。
【００４４】
レンズユニット２００は、カメラ本体１００に装着可能であり、被写体の光学像を形成する。具体的には、レンズユニット２００は、光学系Ｌと、駆動部２１５と、レンズマウント２５０と、レンズコントローラー２４０と、を有している。
【００４５】
光学系Ｌは、ＣＭＯＳイメージセンサー１１０の受光面に、被写体の光学像を形成する。
【００４６】
レンズコントローラー２４０は、カメラコントローラー１４０から送信される制御信号に基づいて、レンズユニット２００全体を制御する。
【００４７】
（２：移動局）
図３を用いて移動局３００について説明する。
【００４８】
図３は、移動局３００（電子機器の一例）の回路ブロック図である。
【００４９】
移動局３００は、電話回線に接続可能であって、さらに無線ＬＡＮによる無線通信も可能である。移動局３００は、いわゆるスマートフォンなどである。
【００５０】
モニタ３１０は、液晶ディスプレイであり、移動局３００に設けられている。モニタ３１０は移動局３００のどこに配置されていてもよい。
【００５１】
なお、モニタ３１０は移動局３００に設けられた表示部の一例である。表示部としては、他にも、有機ＥＬ、無機ＥＬ、プラズマディスプレイパネル等、画像を表示できるものを用いることができる。
【００５２】
タッチ操作部３１１は、静電容量式タッチパネルである。タッチ操作部３１１は、モニタ３１０表示面に配置されている。
【００５３】
また、タッチ操作部３１１は、静電容量式タッチパネルだけでなく、抵抗膜方式タッチパネルであっても良い。
【００５４】
ＳＩＭカードフォルダー３２０にはＳＩＭカード３２１が挿入固定される。ＳＩＭカード３２１には電話回線への接続を許可する加入者権情報で、カメラ本体１００に設けたＳＩＭカードフォルダー１８０に挿入固定されているＳＩＭカード１８１と同一の加入者権を示す情報が書き込まれている。
【００５５】
コントローラー３３０は、移動局３００の各部を制御する。コントローラー３３０は、モニタ３１０にアイコンやメニュー等を表示させる。コントローラー３３０は、電源スイッチ３０１と、タッチ操作部３１１からの指示を受け付ける。ユーザーが指等でタッチ操作部３１１に接触すると、タッチ操作部３１１が接触された位置を検知する。コントローラー３３０は、モニタ３１０に表示させている内容と、タッチ操作部３１１が検知した接触位置とに応じて所定の動作をすることが出来る。コントローラー３３０は、移動局３００全体を制御する。
【００５６】
無線通信部３４０は、アンテナ部を有する無線通信部であってＩＥＥＥ８０２．１１ｎ規格などの無線通信機能を持っている。
【００５７】
電話回線通信部３５０は、アンテナ部を有する３Ｇ電話回線通信部であって、ＳＩＭカード３２１に書き込まれた加入者権情報によって電話回線への接続が可能である。
【００５８】
移動局３００の電源スイッチ３０１がユーザーによって操作されると、コントローラー３３０はこの操作を検知し、電話回線通信部３５０は接続可能な基地局を捜索し接続作業を行う。無線通信部３４０は、接続可能なワイヤレス機器の捜索を行い、あらかじめ設定されたワイヤレス機器が見つかれば自動的に接続を行う。さらに、前記カメラ本体１００からの加入者権情報参照要求を受信待機状態にする。
【００５９】
ここで、前記カメラ本体１００の操作部１３０の電源スイッチ１３２がＯＮに操作されると、まず移動局３００との無線による接続を開始する。次に、カメラ本体１００のカメラコントローラー１４０による移動局３００のＳＩＭカード３２１の加入者権情報とＳＩＭカード１８１の加入者権情報の合致確認と、移動局３００のコントローラー３３０によるカメラ本体１００のＳＩＭカード１８１の加入者権情報とＳＩＭカード３２１の加入者権情報の合致確認を行う。前記加入者権情報の合致がカメラコントローラー１４０と移動局のコントローラー３３０の双方で確認されると、移動局３００のコントローラー３３０は、電話回線通信部３５０に電話回線との接続を切るように指示を出す。
【００６０】
移動局３００のコントローラー３３０が電話回線の切断を確認すると、無線通信によってカメラ本体１００に電話回線への接続許可信号を送る。その後、カメラ本体１００のカメラコントローラー１４０が、電話回線への接続許可信号を移動局３００のコントローラー３３０から受信すると、電話回線通信部１８６に電話回線との接続をするよう基地局探索指示を出す。
【００６１】
反対に、前記カメラ本体１００の操作部１３０の電源スイッチ１３２がＯＦＦに操作されると、カメラ本体１００のカメラコントローラー１４０は電話回線通信部１８６に電話回線との接続を切るように指示を出す。
【００６２】
カメラ本体のコントローラー１４０が電話回線の切断を確認すると、無線通信によって移動局３００に電話回線への接続許可信号を送る。その後、移動局３００のコントローラー３３０がカメラ本体１００のカメラコントローラー１４０からの電話回線への接続許可信号を受信すると、電話回線通信部３５０に電話回線との接続をするよう基地局探索指示を出す。
【００６３】
（３：通信システム）
図４を用いて、本考案の通信システムについて説明する。
【００６４】
従来、電話回線は、電話事業者によって運営されており、電話事業者は、加入者（ユーザー）による通信契約に対し、加入者権情報を付与する。前記加入者権情報はＳＩＭカードに書き込まれ、そのＳＩＭカードを電話回線通信部を備えた装置に挿入することによって、電話回線が使用可能となる。
【００６５】
１つの加入者権情報に基づいて同時に使用できる電話回線通信機器は、１つだけである。すなわち、複数の電話回線通信機器を同時に単一の加入者権情報に基づいて加入者が使用することは不可能である。さらに、１つの加入者権情報は、１つのＳＩＭカードにのみ書き込まれる。このため、物理的にも複数の電話回線通信機器を同時に単一の加入者権情報に基づいて使用することは出来ない。
【００６６】
本実施形態の通信システムは、１つの加入者権情報を、複数のＳＩＭカードに書き込むことが可能である場合に１つの加入者権情報を機器間で切り換えながら使用可能な構成について開示する。すなわち、同一の加入者権情報が書き込まれた複数のＳＩＭカードを複数の通信機器に挿入しておけるようにした一方で、同時に電話回線通信網を利用可能な通信機器を一つの機器に限定する操作を、通信機器同士が直接的に相互制御し合う。このような構成とすることにより、別途基地局との通信やＳＩＭカードへの付随情報記録が不要で、適宜通信機器を切り替えて使用できるようにしたものである。
【００６７】
具体的には、カメラ本体１００と、移動局３００と、のほかに電話回線接続を可能にする基地局４００と、ワイヤレス通信を可能にする無線ルーター５００と、コンピューター７００と、が備えられた環境が想定できる。
【００６８】
無線ルーター５００は、アンテナ部を有する無線通信部であってＩＥＥＥ８０２．１１ｎ規格などの無線通信機能を備えている。また、有線接続によってインターネット６００に接続されている。
【００６９】
コンピューター７００は、無線ルーター５００と無線または有線で接続される。無線で接続される場合は、アンテナ部を有する無線通信部が内蔵もしくは外部取り付けされている必要がある。
【００７０】
ユーザーは、すでに電話事業者と通信契約を行い、単一の加入者権情報を取得しており、カメラ本体１００をその後購入する場合がある。また、カメラ本体１００と移動局３００を同時に購入する場合も考えられる。さらには、カメラ本体１００をすでに購入し、移動局３００を追って購入する場合も考えることが出来る。
【００７１】
これらユーザーのあらゆる購入ケースに対応するには、カメラ本体１００および移動局３００が有する専用アプリケーションのインストール機能を用いることが非常に有用である。専用アプリケーションは、インターネット、無線ＬＡＮあるいは電話回線を介した通信を行う特定の機能を有するソフトウエアである。従って、ここで提案するソフトウエアは、少なくともカメラ本体１００と移動局３００との無線接続機能と、カメラ本体１００に挿入されたＳＩＭカード１８１と移動局３００に挿入されたＳＩＭカード３２１の加入者権情報の合致確認機能と、電話回線切断機能と、を有する。
【００７２】
ユーザーの使用状況について説明する。
【００７３】
ユーザーが移動局３００とカメラ本体１００を同時に携帯しているとは限らないため、それぞれの場合においての振る舞いを規定する必要がある。
【００７４】
ユーザーが電源の入った移動局３００を自宅に置いたまま、カメラ本体１００だけを携帯して外出した場合は、移動局３００とカメラ本体１００がピアツーピアで接続することが出来なくなる。移動局３００は、電話回線通信部３５０を用いてインターネット６００と接続しているものとする。このときユーザーがカメラ本体１００の操作部１３０の電源スイッチ１３２をＯＮすると、カメラ本体１００のカメラコントローラー１４０は、同一の加入者権情報が書き込まれたＳＩＭカードを装着した移動局３００とピアツーピアによる接続が出来ないことを認識し、公衆無線ＬＡＮサービスとの接続を試みるように指示を出す。
【００７５】
カメラ本体１００のカメラコントローラー１４０が、公衆無線ルーター５５０を介した前記公衆無線ＬＡＮサービスによるインターネット６００への接続が完了すると、自宅ですでにインターネット６００との接続が完了している移動局３００との接続を自動的に行う。移動局３００との接続が完了すると、カメラ本体１００のカメラコントローラー１４０による移動局３００のＳＩＭカード３２１の加入者権情報とＳＩＭカード１８１の加入者権情報の合致確認と、移動局３００のコントローラー３３０によるカメラ本体１００のＳＩＭカード１８１の加入者権情報とＳＩＭカード３２１の加入者権情報の合致確認とが実行される。前記加入者権情報の合致がカメラコントローラー１４０と移動局のコントローラー３３０の双方で確認されると、移動局３００のコントローラー３３０は、無線通信部３４０によってインターネット６００との接続を開始し、カメラ本体１００との接続を無線通信部３４０によるものへ切り替えた後、電話回線通信部３５０に電話回線との接続を切るように指示を出す。
【００７６】
移動局３００のコントローラー３３０が電話回線の切断を確認すると、無線通信部３４０によってカメラ本体１００に電話回線への接続許可信号を送る。その後、カメラ本体１００のカメラコントローラー１４０が移動局３００のコントローラー３３０からの電話回線への接続許可信号を受信すると、電話回線通信部１８６に電話回線との接続をするよう基地局探索指示を出す。電話回線通信部１８６が基地局４００との電話回線接続を完了すると、カメラ本体１００は電話回線を用いた通信が可能となる。
【００７７】
次に、ユーザーが電源ＯＮの移動局３００を自宅に置いたまま、カメラ本体１００だけを携帯して外出し、外出中に移動局３００の電源が切れてしまった場合、あるいは電源ＯＦＦの移動局３００を自宅に置いたまま、カメラ本体１００だけを携帯して外出した場合について述べる。この場合は、通信事業者がＳＩＭカード３２１の加入者権情報がアクティブでないことを認識し、これにより移動局３００が電話回線を使用していないことを認識している。つまり、ユーザーがカメラ本体１００の操作部１３０の電源スイッチ１３２をＯＮすると、カメラ本体１００のカメラコントローラー１４０は、同一の加入者権情報が書き込まれたＳＩＭカード３２１を装着した移動局３００とピアツーピアによる接続が出来ないことを認識し、公衆無線ＬＡＮサービスとの接続を試みるように指示を出す。
【００７８】
カメラ本体１００のカメラコントローラー１４０が、前記公衆無線ＬＡＮサービスによるインターネット６００への接続を完了すると、自宅ですでにインターネット６００との接続が完了しているはずの移動局３００との接続を自動的に行おうとする。しかしながら、このとき移動局３００の電源がＯＦＦであるため接続を完了することが出来ない。そこで、カメラ本体１００のカメラコントローラー１４０は移動局３００が電話回線通信部３５０を用いた電話回線接続中ではないと判断し、電話回線通信部１８６に電話回線との接続をするよう基地局探索指示を出す。基地局探索が成功すると、ＳＩＭカード１８１の加入者権情報がアクティブでないため、これをアクティブに変更し、即座に電話回線が接続される。
【００７９】
次に、ユーザーが移動局３００だけを携帯して外出し、カメラ本体１００が家人などによって電源を操作されると、前記のようにカメラ本体１００が電話回線と接続され、移動局３００が電話回線と不通となってしまう。この場合カメラ本体１００で電話回線への接続を行わないようにモード等を変更しておけば良い。しかし、前記モード変更を忘れた場合は、カメラ本体１００の電源がＯＮされ、電話回線の不通が確認されたとき、公衆無線ＬＡＮサービスとの接続を試みるように指示を出す。
【００８０】
前記公衆無線ＬＡＮサービスによるインターネット６００への接続が完了すると、カメラ本体１００との接続を行い、モード変更を行うことができるようにしても良い。
【００８１】
本開示によれば、同一の加入者権情報が書き込まれた複数のＳＩＭカードが挿入された複数の電話回線接続機器の排他的な利用が可能になり、ユーザーの利便性が向上する。
【産業上の利用可能性】
【００８２】
本開示は、電話回線を用いた通信が可能な電子機器に適用できる。
【符号の説明】
【００８３】
１  カメラシステム
１００  カメラ本体
１１０  ＣＭＯＳイメージセンサー
１１１  ＡＤコンバーター
１１２  タイミング発生器
１１３  ＣＭＯＳ回路基板
１２０  カメラモニタ
１３０  操作部
１４０  カメラコントローラー
１５０  ボディマウント
１７０  カードスロット
１７１  メモリーカード
１８０  ＳＩＭカードフォルダー
１８１  ＳＩＭカード
１８５  無線通信部
１８６  電話回線通信部
１９０  フォーカルプレーンシャッター
１９５  ＥＶＦ
２００  レンズユニット
２４０  レンズコントローラー
２５０  レンズマウント
３００  移動局
３０１  電源スイッチ
３１０  モニタ
３１１  タッチ操作部
３２０  ＳＩＭカードフォルダー
３２１  ＳＩＭカード
３３０  コントローラー
３４０  無線通信部
３５０  電話回線通信部
４００  基地局
５００  無線ルーター
５５０  公衆無線ルーター
６００  インターネット
７００  コンピューター
【図１】
2015179882.tif 000003
【図２】
2015179882.tif 000004
【図３】
2015179882.tif 000005
【図４】
2015179882.tif 000006